【手続補正書】
【提出日】平成22年3月9日(2010.3.9)
【手続補正１】
【補正対象書類名】特許請求の範囲
【補正対象項目名】全文
【補正方法】変更
【補正の内容】
【特許請求の範囲】
【請求項１】
太陽電池セルと、配線基板と、前記太陽電池セルと前記配線基板とを接着する接着剤とを含み、
前記太陽電池セルは、半導体基板と、前記半導体基板上に形成された電極とを含み、
前記配線基板は、絶縁性基材と、前記絶縁性基材上に形成された導電性材料からなる配線とを含み、
前記接着剤は、前記配線基板の前記配線の形成領域以外の少なくとも一部の領域に設置されている、太陽電池。
【請求項２】
前記太陽電池セルの前記電極と前記配線基板の前記配線とは導電性接着剤を介して電気的に接続されていることを特徴とする、請求項１に記載の太陽電池。
【請求項３】
前記導電性接着剤の溶融温度若しくは硬化温度が１８０℃以下であることを特徴とする、請求項２に記載の太陽電池。
【請求項４】
前記導電性接着剤の電気抵抗率は０．００１Ωｃｍ以下であることを特徴とする、請求項２または３に記載の太陽電池。
【請求項５】
前記導電性接着剤は、Ｓｎ−Ｂｉ系はんだであることを特徴とする、請求項２から４のいずれかに記載の太陽電池。
【請求項６】
前記太陽電池セルの前記電極と前記配線基板の前記配線とが直接に接して接続されている、請求項１に記載の太陽電池。
【請求項７】
前記絶縁性基材は、ポリエチレンテレフタレートおよびポリエチレンナフタレートの少なくとも一方を含むことを特徴とする、請求項１から６のいずれかに記載の太陽電池。
【請求項８】
前記配線は、銅、アルミニウムおよび銀からなる群から選択された少なくとも１種を含む材料から構成されていることを特徴とする、請求項１から７のいずれかに記載の太陽電池。
【請求項９】
前記接着剤は、シリコーン系接着剤、アクリル系接着剤、エポキシ系接着剤およびゴム系接着剤からなる群から選択された少なくとも１種を含むことを特徴とする、請求項１から８のいずれかに記載の太陽電池。
【請求項１０】
前記接着剤は、１５０℃以上の温度環境下に曝された場合でも安定した接着性を有することを特徴とする、請求項１から９のいずれかに記載の太陽電池。
【請求項１１】
前記接着剤が粘着剤であることを特徴とする、請求項１から１０のいずれかに記載の太陽電池。
【請求項１２】
前記太陽電池セルは、裏面電極型太陽電池セルであることを特徴とする、請求項１から１１のいずれかに記載の太陽電池。
【請求項１３】
前記太陽電池セルの電極形状が、帯状および点状の少なくとも一方であることを特徴とする、請求項１２に記載の太陽電池。
【請求項１４】
前記配線基板の複数が導電性部材によって電気的に接続されていることを特徴とする、請求項１から１３のいずれかに記載の太陽電池。
【請求項１５】
前記配線基板は、前記絶縁性基材の表面上に、ｎ型用配線と、ｐ型用配線と、前記ｎ型用配線と前記ｐ型用配線とを電気的に接続する接続用電極と、を備え、
前記絶縁性基材の少なくとも一方の端部には集電用のバスバー電極を備えており、
隣り合う２枚の前記配線基板の一方の前記バスバー電極と他方の前記バスバー電極とが前記導電性部材によって電気的に接続されていることを特徴とする、請求項１４に記載の太陽電池。
【請求項１６】
請求項１から１５のいずれかに記載の太陽電池を製造する方法であって、基材上に設置された粘着層上に前記配線を形成する工程と、前記粘着層上に形成された前記配線を前記絶縁性基板上に設置された前記接着剤上に設置する工程と、前記粘着層から前記配線を剥離することにより前記配線を前記接着剤に転写して前記配線基板とする工程と、前記太陽電池セルと前記配線基板とを前記接着剤により接着する工程とを含む、太陽電池の製造方法。
【請求項１７】
請求項１から１５のいずれかに記載の太陽電池を製造する方法であって、前記太陽電池セルの前記電極以外の少なくとも一部の領域に前記接着剤を設置する工程と、前記太陽電池セルと前記配線基板とを前記接着剤により接着する工程と、を含む、太陽電池の製造方法。
【請求項１８】
請求項１から１５のいずれかに記載の太陽電池を製造する方法であって、前記配線基板の前記配線以外の少なくとも一部の領域に前記接着剤を設置する工程と、前記太陽電池セルと前記配線基板とを前記接着剤により接着する工程と、を含む、太陽電池の製造方法。
【請求項１９】
請求項１から１５のいずれかに記載の太陽電池を封止材中に封止してなる太陽電池モジュールを製造する方法であって、
前記太陽電池を封止する際に前記太陽電池セルの前記電極と前記配線基板の前記配線とを機械的に圧着することを特徴とする、太陽電池モジュールの製造方法。
【請求項２０】
請求項１から１５のいずれかに記載の太陽電池が封止材中に封止されてなる太陽電池モジュールであって、前記封止材が、水分の透過を抑制する水分透過防止層を底部および側壁の少なくとも一方に備えた容器内に収容されていることを特徴とする、太陽電池モジュール。
【手続補正２】
【補正対象書類名】明細書
【補正対象項目名】００１１
【補正方法】変更
【補正の内容】
【００１１】
本発明は、太陽電池セルと、配線基板と、太陽電池セルと配線基板とを接着する接着剤とを含み、太陽電池セルは、半導体基板と、半導体基板上に形成された電極とを含み、配線基板は、絶縁性基材と、絶縁性基材上に形成された導電性材料からなる配線とを含み、接着剤は、配線基板の配線の形成領域以外の少なくとも一部の領域に設置されている太陽電池である。
【手続補正３】
【補正対象書類名】明細書
【補正対象項目名】００１２
【補正方法】変更
【補正の内容】
【００１２】
ここで、本発明の太陽電池において、太陽電池セルの電極と配線基板の配線とは導電性接着剤を介して電気的に接続されている太陽電池である。
【手続補正４】
【補正対象書類名】明細書
【補正対象項目名】００１３
【補正方法】変更
【補正の内容】
【００１３】
また、本発明の太陽電池において、導電性接着剤の溶融温度若しくは硬化温度は１８０℃以下であることが好ましい。
【手続補正５】
【補正対象書類名】明細書
【補正対象項目名】００１４
【補正方法】変更
【補正の内容】
【００１４】
また、本発明の太陽電池においては、導電性接着剤の電気抵抗率が０．００１Ωｃｍ以下であることが好ましい。
【手続補正６】
【補正対象書類名】明細書
【補正対象項目名】００１５
【補正方法】変更
【補正の内容】
【００１５】
また、本発明の太陽電池において、導電性接着剤はＳｎ−Ｂｉ系はんだであることが好ましい。
【手続補正７】
【補正対象書類名】明細書
【補正対象項目名】００１６
【補正方法】変更
【補正の内容】
【００１６】
また、本発明の太陽電池においては、太陽電池セルの電極と配線基板の配線とが直接に接して接続されていることが好ましい。
【手続補正８】
【補正対象書類名】明細書
【補正対象項目名】００１７
【補正方法】変更
【補正の内容】
【００１７】
また、本発明の太陽電池において、絶縁性基材は、ポリエチレンテレフタレートおよびポリエチレンナフタレートの少なくとも一方を含むことが好ましい。
【手続補正９】
【補正対象書類名】明細書
【補正対象項目名】００１８
【補正方法】変更
【補正の内容】
【００１８】
また、本発明の太陽電池においては、配線が、銅、アルミニウムおよび銀からなる群から選択された少なくとも１種を含む材料から構成されていることが好ましい。
【手続補正１０】
【補正対象書類名】明細書
【補正対象項目名】００１９
【補正方法】変更
【補正の内容】
【００１９】
また、本発明の太陽電池において、接着剤は、シリコーン系接着剤、アクリル系接着剤、エポキシ系接着剤およびゴム系接着剤からなる群から選択された少なくとも１種を含むことが好ましい。
【手続補正１１】
【補正対象書類名】明細書
【補正対象項目名】００２０
【補正方法】変更
【補正の内容】
【００２０】
また、本発明の太陽電池において、接着剤は１５０℃以上の温度環境下に曝された場合でも安定した接着性を有することが好ましい。
【手続補正１２】
【補正対象書類名】明細書
【補正対象項目名】００２１
【補正方法】変更
【補正の内容】
【００２１】
ここで、本発明の太陽電池において、接着剤が粘着剤であることが好ましい。
【手続補正１３】
【補正対象書類名】明細書
【補正対象項目名】００２２
【補正方法】変更
【補正の内容】
【００２２】
また、本発明の太陽電池において、太陽電池セルは裏面電極型太陽電池セルであることが好ましい。
【手続補正１４】
【補正対象書類名】明細書
【補正対象項目名】００２３
【補正方法】変更
【補正の内容】
【００２３】
また、本発明の太陽電池において、太陽電池セルの電極形状が帯状および点状の少なくとも一方であることが好ましい。
【手続補正１５】
【補正対象書類名】明細書
【補正対象項目名】００２４
【補正方法】変更
【補正の内容】
【００２４】
また、本発明の太陽電池においては、配線基板の複数が導電性部材によって電気的に接続されていることが好ましい。
【手続補正１６】
【補正対象書類名】明細書
【補正対象項目名】００２５
【補正方法】変更
【補正の内容】
【００２５】
また、本発明の太陽電池においては、配線基板は、絶縁性基材の表面上に、ｎ型用配線と、ｐ型用配線と、ｎ型用配線とｐ型用配線とを電気的に接続する接続用電極と、を備え、絶縁性基材の少なくとも一方の端部には集電用のバスバー電極を備えており、隣り合う２枚の配線基板の一方のバスバー電極と他方のバスバー電極とが導電性部材によって電気的に接続されていることが好ましい。また、本発明は、上記の太陽電池を製造する方法であって、基材上に設置された粘着層上に配線を形成する工程と、粘着層上に形成された配線を絶縁性基板上に設置された接着剤上に設置する工程と、粘着層から配線を剥離することにより配線を接着剤に転写して配線基板とする工程と、太陽電池セルと配線基板とを接着剤により接着する工程とを含む、太陽電池の製造方法である。また、本発明は、上記の太陽電池を製造する方法であって、太陽電池セルの電極以外の少なくとも一部の領域に接着剤を設置する工程と、太陽電池セルと配線基板とを接着剤により接着する工程と、を含む、太陽電池の製造方法である。また、本発明は、上記の太陽電池を製造する方法であって、配線基板の配線以外の少なくとも一部の領域に接着剤を設置する工程と、太陽電池セルと配線基板とを接着剤により接着する工程と、を含む、太陽電池の製造方法である。
【手続補正１７】
【補正対象書類名】明細書
【補正対象項目名】００２７
【補正方法】削除
【補正の内容】